(57)【要約】【課題】カラー原稿をもとに受信側で実現し得る多色印刷に用いる画像を生成し、生成した画像を効率よく送受信し、高パフォーマンスのファクシミリシステムを構成する【解決手段】受信側が例えば２色印刷機能を持つ場合、２色通信モードで原稿読み取り・送信処理を行う。ＦＡＸ原稿の読み取り部１６内の分解部で抽出したＲＧＢ成分から２色（例えば黒・赤）識別部によって各画素が黒か赤かを識別し、色毎にページ画像を生成、画像記憶部１５に格納し、送信の際ＦＡＸ制御部１９から２ページの画像を一通信単位として送信する。受信側は受取った各ページを第１、第２色それぞれの画像記憶部に格納し、対応する現像部１８，１７で用い一枚の用紙へ２色印刷を行う。【選択図】　　　　図１
2004072309.tif 000002
【特許請求の範囲】
【請求項１】
原稿画像の色成分信号を読み取る原稿読み取り手段と、読み取った色成分信号をもとに送信画像データを生成する送信画像生成手段と、送信画像データ及び通信制御データを通信プロトコルに従い処理する通信処理手段を有するファクシミリ装置であって、前記送信画像生成手段は、多色通信モード時に受信側で作像に用いる複数色の現像材の各色毎にページ画像データを生成し、前記通信処理手段は、送信画像生成手段で生成した複数のページ画像データを一通信単位として送信するとともに、この方法により送信することを受信側に通知する多色通信モードの処理を行うようにしたことを特徴とするファクシミリ装置。
【請求項２】
請求項１に記載されたファクシミリ装置において、前記送信画像生成手段が生成する複数のページ画像データを原稿における黒、赤の各画像に対応させたことを特徴とするファクシミリ装置。
【請求項３】
請求項１に記載されたファクシミリ装置において、予め用意された複数色の中から任意に指定色を選択・設定する手段を備え、前記送信画像生成手段が生成する複数のページ画像データを原稿における前記指定色の各画像に対応させたことを特徴とするファクシミリ装置。
【請求項４】
請求項３に記載されたファクシミリ装置において、前記送信画像生成手段は、読み取った色成分信号をもとに指定色の送信画像データを生成する際に、一指定色に他の指定色の生成時に残余となる色成分を全て含ませる規則を適用するようにしたことを特徴とするファクシミリ装置。
【請求項５】
請求項１乃至４のいずれかに記載されたファクシミリ装置において、ユーザーの入力操作により多色通信モードの設定を行う入力操作手段を備えたことを特徴とするファクシミリ装置。
【請求項６】
受信画像データ及び通信制御データを通信プロトコルに従い処理する通信処理手段と、受信画像データをもとに描画データを生成する描画データ生成手段と、複数色の現像材を用いて描画データに基づく多色画像の作像を行う作像手段を有するファクシミリ装置であって、前記通信処理手段は、作像に用いる複数色の現像材の各色毎に生成されたページ画像データを一通信単位として受信するとともに、この方式による受信が可能であることを送信側に通知する多色通信モードの処理を行うようにし、描画データ生成手段は、受信した複数の現像材の各色毎に生成されたページ画像データに基づいて一枚の多色画像を作像するための描画データを生成するようにしたことを特徴とするファクシミリ装置。
【請求項７】
請求項１乃至５のいずれかに記載されたファクシミリ装置と請求項６に記載されたファクシミリ装置とを通信手段を介して接続し、システムを構成したことを特徴とするファクシミリシステム。
【発明の詳細な説明】
【０００１】
【発明が属する技術分野】
本発明は、複数色の現像材を用いた多色印刷が可能なファクシミリ装置に関し、より特定すると、印刷に用いる複数色の現像材の各色毎に生成したページ画像データを一通信単位として送・受信し、受信側では受信した各色毎のページ画像データをもとに一枚の多色画像を作像することを可能にした多色通信モードの動作を行うようにしたファクシミリ装置（システム）に関する。
【０００２】
【従来の技術】
従来より二色或いは多色原稿のファクシミリ送受信を行うシステムに関して様々な提案がなされている。
その中で、国際的に標準化された方式（ＣＣＩＴＴ勧告Ｔ４）に準拠する方式で多色原稿の送信を効率化する方法について、特許第２８２４９９０号（画像通信方法）に提案されている。ここでは、Ａ（原稿作成者）⇔Ｂ（添削者）というケースを好適な実施例としてを挙げ、
１回目：Ａ（作成原稿の黒送信、メモリに保存）⇒Ｂに送る。ここで、Ｂは受信した原稿画像に対して赤で添削し、
２回目：Ｂ（添削した赤部分だけを対象に）⇒Ａに送る。このとき、添削部分だけを受け取ったＡは２回目に受信した画像と１回目の送信時にメモリに保存しておいた原稿画像を合成して２色印刷する。
という動作を可能とするものである。つまり、この従来例は、基本的に原稿が持つ複数（多）色の色情報を一色に限定して送ることにより、上記した実施例のケースに示すように、情報交換時の通信時間や情報量を節減し、効率の向上をねらったものである。
また、特開平５−２２６１７号（ファクシミリ通信方法）では、２色（赤・黒）画像を１ぺージとして送る方式であり、１ぺージの画像データにおいてその画素毎に赤・黒を識別する情報を埋め込んだ画情報を作成し、送る（２色モードキー９２押下時の動作）ものである。この方式では、送受信側双方に１ぺージ中の赤・黒情報を識別しながら圧縮伸張するので、そのための手段が必要である。なお、この従来例には、赤・黒画像を２ぺージにぺージ分けして送信するモード（送信モードキー９３の押下により設定される動作モード）についても述べているが、受信機側が単一色の画像再現機能を持つ場合に限定して、適用することを開示している。
【０００３】
【発明が解決しようとする課題】
しかしながら、上記特許第２８２４９９０号では、一通信では一色のデータしか送信できないので、任意の多色の原稿画像を片道で送るという要求に応えることができないし、この例には開示されていないが、仮に二回に分けて送信して合成するという方法をとったとしても、その場合には、一色ずつ二通信を行う必要があり、効率が悪い。
また、上記特開平５−２２６１７号では、１ぺージ中の赤・黒情報を識別しながら圧縮伸張するので、送受信側双方にそのための手段が必要であり、２色印刷を実現する為の圧縮伸張部が複雑な構成になってしまう。この例に開示された赤・黒画像を２ぺージにぺージ分けして送信するモードの動作は、受信機側が単一色の画像再現機能を持つ場合に限定されており、この動作モードによる２色印刷を実現することは未解決の技術課題として残っている。
本発明は、ファクシミリ装置における上述の従来技術における問題点に鑑みてなされたもので、その目的は、任意の多色原稿画像をもとに受信側で実現し得る多色印刷に用いる画像データを生成し、生成した画像データを効率よく送受信することにより、パフォーマンスの高いファクシミリシステムを構成することを可能にするファクシミリ装置及びファクシミリシステムを提供することにある。
【０００４】
【課題を解決するための手段】
請求項１の発明は、原稿画像の色成分信号を読み取る原稿読み取り手段と、読み取った色成分信号をもとに送信画像データを生成する送信画像生成手段と、送信画像データ及び通信制御データを通信プロトコルに従い処理する通信処理手段を有するファクシミリ装置であって、前記送信画像生成手段は、多色通信モード時に受信側で作像に用いる複数の現像材の各色毎にページ画像データを生成し、前記通信処理手段は、送信画像生成手段で生成した複数のページ画像データを一通信単位として送信するとともに、この方法により送信することを受信側に通知する多色通信モードの処理を行うようにしたことを特徴とするファクシミリ装置である。
【０００５】
請求項２の発明は、請求項１に記載されたファクシミリ装置において、前記送信画像生成手段が生成する複数のページ画像データを原稿における黒、赤の各画像に対応させたことを特徴とするものである。
【０００６】
請求項３の発明は、請求項１に記載されたファクシミリ装置において、予め用意された複数色の中から任意に指定色を選択・設定する手段を備え、前記送信画像生成手段が生成する複数のページ画像データを原稿における前記指定色の各画像に対応させたことを特徴とするものである。
【０００７】
請求項４の発明は、請求項３に記載されたファクシミリ装置において、前記送信画像生成手段は、読み取った色成分信号をもとに指定色の送信画像データを生成する際に、一指定色に他の指定色の生成時に残余となる色成分を全て含ませる規則を適用するようにしたことを特徴とするものである。
【０００８】
請求項５の発明は、請求項１乃至４のいずれかに記載されたファクシミリ装置において、ユーザーの入力操作により多色通信モードの設定を行う入力操作手段を備えたことを特徴とするものである。
【０００９】
請求項６の発明は、受信画像データ及び通信制御データを通信プロトコルに従い処理する通信処理手段と、受信画像データをもとに描画データを生成する描画データ生成手段と、複数の現像材を用いて描画データに基づく多色画像の作像を行う作像手段を有するファクシミリ装置であって、前記通信処理手段は、作像に用いる複数の現像材の各色毎に生成されたページ画像データを一通信単位として受信するとともに、この受信方式によることが可能であることを送信側に通知する多色通信モードの処理を行うようにし、描画データ生成手段は、受信した複数の現像材の各色毎に生成されたページ画像データに基づいて一枚の多色画像を作像するための描画データを生成するようにしたことを特徴とするファクシミリ装置である。
【００１０】
請求項７の発明は、請求項１乃至５のいずれかに記載されたファクシミリ装置と請求項６に記載されたファクシミリ装置とを通信手段を介して接続し、システムを構成したことを特徴とするファクシミリシステムである。
【００１１】
【発明の実施の形態】
本発明のファクシミリ装置及びファクシミリシステムを添付する図面とともに示す以下の実施形態に基づき説明する。
本発明は、多色印刷が可能なファクシミリシステムにおいて通信効率を良くし高パフォーマンス化を図ることを目的とし、受信側で多色印刷に用いる複数の現像材の各色毎に生成したページ画像データを一通信単位として送信する“多色通信モード”の動作によって、その実現を図るものである。
なお、以下の実施形態には、ＦＡＸ送信側・受信側双方共に同じファクシミリ装置（即ち同じ送信・受信機能を持つ）を用いてファクシミリシステムを構成し得るような形態で、ファクシミリ装置及びファクシミリシステムを構成したものを例示する。
図１は本実施形態に係わるファクシミリ装置の処理システムのハード構成を示したブロック図である。本例は、受信側で実現し得る多色印刷に用いる色を２色（赤・黒）にした場合で、１枚の多色原稿から受信側の２色印刷に対応して生成した各色のページ画像データを２色通信モードにより送受信し、赤・黒で２色印刷する場合の実施形態である。
図１を参照すると、ＣＰＵ１１はＣＰＵのアドレスバス及ぴデータバスを介してファクシミリ装置の処理システムを構成する全ての要素部と接続し、ＲＯＭ１２に格納されたこの処理システム全体を制御するための各種プログラムに従って、バス接続されている各要素部を制御する。よって、ＲＯＭ１２には、ＦＡＸ機能やコピー機能（なお、本例ではコピー機能を複合させて有する）を用いるときの一連の処理（スキャナー読み取り、読み取り画像からＦＡＸ／コピーデータを生成する画像処理、ＦＡＸ送信／受信、ＦＡＸ／コピーデータによるプリンター出力等）を含め本装置の全ての動作を制御するためのプログラムを格納している。
ＲＡＭ１３は、ＣＰＵ１１がプログラムに従い制御・処理動作を実行するときにワークメモリとして使用する。従って、入力操作部１４からジョブ毎に指示されるモード設定等の動作条件の設定データを記憶する場所として通常用いられている通りに、本実施形態においてもこのメモリを利用する。
【００１２】
操作部１４は、コピー機能やＦＡＸ機能を利用するときにユーザーが動作条件を設定するための入力操作に用いる。ユーザーとダイアログ方式で入力操作ができる、例えば液晶タッチパネルのような手段を採用することが望ましい。後記で詳述する“多色通信モード”もここから設定することを可能とする。
画像記憶部１５は、コピーやＦＡＸの処理対象となる画像を格納するために用いるもので、その一部に多色通信、多色印刷処理に係わり生成される特定の色画像の記憶部を設ける。特定色の画像部を、本例では第１色（赤）画像部１５Ｒ、第２色（黒）画像部１５Ｂとする。
読み取り部１６（図４における原稿読み取り部３６、参照）は、コピー／ＦＡＸ原稿の画像読み取り、ＦＡＸ送信用のデータを生成する。本例では、ＲＧＢ分解部１６Ａでカラー構成色のＲＧＢ各色成分データとして原稿画像の読み取りを行い、読み取ったデータをもとに２色識別部１６Ｄ、２値化部１６ＣでＦＡＸ送信用のデータ（コピー用の描画データでもよい）を生成する。
第１現像部（黒）１７は、第２色（黒）画像部１５Ｂから読み出したデータをもとに黒の現像を行う。本例では電子写真プロセスによるので、現像は感光体上へデータの光書き込みを行うことによる。
第２現像部（赤）１８は、第１色（赤）画像部１５Ｒから読み出したデータをもとに赤の現像を行う。この場合も黒の現像と同様に光書き込みにより行う。
ＦＡＸ制御部１９は、圧縮伸張部１９Ｃ、モデム部１９Ｍ、ＮＣＵ部１９を備え、ＦＡＸ送信／受信画像データ及び通信制御データを通信プロトコルに従って処理する。本例では、２色通信モードによる送信／受信（詳細は後述）を可能とする。
【００１３】
次に、図１に示したこの実施形態のファクシミリ装置が行う多色通信モード（本例では２色通信モード）のＦＡＸ送信／受信処理の流れを説明する。
本装置の原稿台（図４の原稿載置部３５、参照）にＦＡＸ原稿をセットし、操作部１４よりＦＡＸ送信の宛先を入力しスタートキーを押下する。これによりＦＡＸ送信処理が開始され、まず、原稿読み取り部１６内のＲＧＢ分解部１６Ａより画素ごとのＲＧＢ成分を２５６分解能で抽出し、得たＲＧＢ成分から２色識別部１６Ｄによって各画素が黒か赤かを識別する。このとき、黒と赤の判定は以下に示す条件による。
2004072309.tif 000003
ならば、この画素は赤とする。
上記した黒か赤かの識別処理を原稿内の全画素に対して行い、各色毎にそれぞれのページ画像データを生成して、画像記憶部１５に格納する。つまり、原稿内の赤部分を赤画像として画像記憶部１５の第１色（赤）画像部１５Ｒに格納する。また、原稿内の黒部分を同様に黒画像として第２色（黒）画像部１５Ｂに格納する。
【００１４】
次に、ＦＡＸ制御部１９のＮＣＵ部１９Ｎから宛先に発呼し網接続を行う。
この後、本発明を特徴付ける２色通信モードのＦＡＸ伝送手順を実行する。本実施形態では原稿画像から送信データとして処理され、画像記憶部１５に各色（赤・黒）毎にそれぞれ格納したページ画像データを一通信単位として受信側に伝送する手順を行う。
図２は、本実施形態の２色通信モードのＦＡＸ伝送手順を示すチャートである。
図２を参照すると、発呼の着信により回線接続が確保されると、先ず受信機側では、ＣＥＤ信号を送出する（手順１）。その後ＮＳＦ（Ｓ）にて受信機側の機能を宣言する（手順２）。具体的にはＮＳＦ（Ｓ）の２色通信モードの受信が可能であることを示す情報を有効にして、送信機側に通知する（例えば、ＮＳＦ（Ｓ）内のＦＩＦのＢｉｔ８７を“１”にする）。
受信機側から機能の宣言を受け取る送信機側はＮＳＦ（Ｓ）を解析し、２色受信可能であれば、ＮＳＳ（Ｓ）にて２色通信モードの送信であることを示す情報を有効にして（例えば、ＮＳＳ（Ｓ）内のＦＩＦのＢｉｔ８７を“１”にする）、今からの原稿（画情報）送信を２色通信モードにより行うことを受信機側に通知する（手順３）。
この後、送信機側は画情報を送る前の事前トレーニング（通称ＴＣＦと呼ばれる）として、“０”データを１〜５秒間送信して（手順４）、受信機側で受信状態をチェックできるようにする。ＴＣＦデータを受け取る受信機側では、受けた“０”データが“１”に化けている数が予め定められた基準値（動作管理用の情報としてＲＡＭ１３に格納しておく）以下であれば、回線良好と判断し、ＣＦＲを送信機側に返す（手順５）。
【００１５】
次に、送信機側はＣＦＲを確認して、原稿画情報を送信する。ここでは、２色各々のページ画像データを一通信単位として受信側に伝送する。手順としては、まず第１色（赤）画像を送るが、その方法は、通常の白黒データ画像と全く同じＦＡＸ通信手順を行うことによる。即ち、第１色（赤）画像部１５Ｒより画情報を１ラインごとリードし、圧縮伸長部１９Ｃにて圧縮し、圧縮後のデータをモデム部１９Ｍ、ＮＣＵ部１９Ｎを経由して回線へと送る（手順６）。この第１色（赤）のページ画像を受け取る受信機側では、ＮＣＵ部１９Ｎ、モデム部１９Ｍを経由して受信したデータを１ラインごとに圧縮伸長部１９Ｃにて復調した後、復調後のデータをそのまま第１色（赤）画像部１５Ｒへ格納する。
次いで、送信機側は、引き続いて第２色（黒）のぺージ画像を送る必要があるので、ＭＰＳ信号を送る（手順７）。また、このＭＰＳ信号を受け取る受信機側は、第１色（赤）画像を正常に受信できたので、ＭＣＦを送信機側に返す（手順８）。　送信機側は、受信機からのＭＣＦを受信したら、２ぺージ目として第２色（黒）画情報を送る。この処理も第１色（赤）画情報送信と同じように、第２色（黒）画像部１５Ｂより画情報を１ラインごとリードし、圧縮伸長部１９Ｃにて圧縮し、圧縮後のデータをモデム部１９Ｍ、ＮＣＵ部１９Ｎを経由して回線へと送る（手順９）。これを受け取る受信機側では、ＮＣＵ部１９Ｎ、モデム部１９Ｍを経由して受信したデータを１ラインごとに圧縮伸長部１９Ｃにて復調した後、復調後のデータをそのまま第２色（黒）画像部１５Ｂへ格納する。
本例は２色通信モードであり、第２色（黒）のぺージ画像が最終ぺージであるから、ここで、送信機側はＥＯＰを受信機に送る（手順１０）。このＥＯＰを受け取る受信機側は、第２色（黒）画像を正常に受信できたので、ＭＣＦを送信機側に返す（手順１１）。
送信機側は、受信機からのＭＣＦを受信したら、ＤＣＮを受信機側に返し（手順１２）、原稿１枚の２色通信モードの伝送手順を終了し、回線を開放する。
【００１６】
次に、上記した２色通信モードの伝送手順（図２）に従って受信機が２色受信モードとして実行可能な一連の受信・印刷処理について、図３に例示する処理フロー図に基づいてさらに説明する。
図３に示すように、２色受信モードの処理が可能な本例のフローを開始すると、まずＮＳＦ（Ｓ）の２色通信モードの受信が可能であることを示す情報を有効にして、受信機側の機能を宣言し（Ｓ１１）、送信機側にＮＳＦ（Ｓ）を送信することにより、２色通信モードによる動作が可能であることを通知する（Ｓ１２）。
この後、送信機側からのＮＳＳ（Ｓ）を受信し（Ｓ１３）、ＮＳＳ（Ｓ）を解読して２色受信モードが指示されているか否かを調べ（Ｓ１４）、指示されていない場合には、通常モードの動作、即ち１ページ目の画情報の印刷を直ちに行うように、受信した画情報をプロッタ（現像）部へ出力し（Ｓ２６）、このフローを終了させる。
他方、２色受信（印刷）モードが指示されている場合には（Ｓ１４−はい）、この動作モードに入り、１ぺージ目として第１色（赤）画情報を受信し（Ｓ１５）、受信完了を確認し、受信結果が正常であったかをチェックする（Ｓ１６）。
正常に受信した場合には、１ぺージ目の画情報を第１色（赤）画像部１５Ｒへ格納し（Ｓ１７）、同時に送信機側からのＭＰＳ信号に応答して、ＭＣＦ（ＯＫ）を返す（Ｓ１８）。
次いで、２ぺージ目の画情報の送信を待って、２ぺージ目として第２色（黒）画情報を受信し（Ｓ１９）、１ページと同様に受信完了を確認し、受信結果が正常であったかをチェックする（Ｓ２０）。
正常に受信した場合には、２ぺージ目の画情報を第２色（黒）画像部１５Ｂへ格納し（Ｓ２１）、同時に送信機側からのＭＰＳ信号に応答して、ＭＣＦ（ＯＫ）を返す（Ｓ２２）。
なお、上記のフローで、各ページ画像の受信結果に異常が見つかった場合には（Ｓ１６−いいえ，２０−いいえ）、エラー処理をして（Ｓ２５）、このフローを終了させる。
２色の受信を終え、１ぺージ目の画情報を第１色（赤）画像部１５Ｒに、又２ぺージ目の画情報を第２色（黒）画像部１５Ｂへ格納した後、これらの画情報を用いて一枚の用紙への作像を行って、２色印刷結果を得る。この作像処理は、２色それぞれに有する現像部により行う、同時動作を可能な方式によっており、２ぺージ目の画情報を用いて第１現像部（黒）１７で作像を行い（Ｓ２３）、１ぺージ目の画情報を用いて第２現像部（赤）１８で作像を行う（Ｓ２４）。
【００１７】
ここで、上記処理フロー（図３）における２色印刷出力の処理を、本実施形態のファクシミリ装置（図１〜３）のメカニカル部の構成を示す概略図を示す図４をさらに参照して、より詳細に説明する。なお、図４中の太い矢印は処理される印刷用紙の流れを示す。
受信機側において、上述した２色通信モードの受信処理を行うことにより第１色（赤）画像部１５Ｒと第２色（黒）画像部１５Ｂにそれぞれ既に格納されている赤と黒の画像を用いた印刷処理を行う。印刷処理を開始すると、まず給紙部のトレイ６１，６２より用紙を作像部に向けて給紙し、その用紙をレジストセンサー５０で一旦停止させる。
黒画像の作像については、第２色（黒）画像部１５Ｂより画像をリードした後、この画像データを用いて感光体ドラム４１に黒画像の潜像を形成するための光書き込みを行う。光書き込みは、ＬＤ（レーザダイオード）発光制御部４４で画像データによるレーザ発光の制御をして画素ドットを書き込んでいく。その際に副走査方向に回転する感光体ドラム４１に対してポリゴンモーター４５によりレーザビームを主走査させ、第１露光部４３でドラムに対するビーム露光を行うことにより黒画像の潜像を形成する。潜像に対しては、この後、黒トナー現像部４６にて潜像画像にトナーを付着させることで黒画像の可視像を得る。
赤画像の作像については、第１色（赤）画像部１５Ｒより画像をリードした後、この画像データを用いて感光体ドラム４１に赤画像の潜像を形成するための光書き込みを行う。光書き込みは、ＬＥＤアレイ４７で画像データによる発光の制御をして画素ドットを書き込んでいく。その際に副走査方向に回転する感光体ドラム４１に対してＬＥＤアレイ４７を主走査させ、第２露光部４２でドラムに対する露光を行うことにより赤画像の潜像を形成する。潜像に対しては、この後、赤トナー現像部４８にて潜像画像にトナーを付着させることで赤画像の可視像を得る。
形成した可視像を用紙に転写するために、レジストセンサー５０の位置で一旦停止させていた用紙を感光体ドラム４１上の可視像の先頭と用紙の先頭が転写部で一致するタイミングで用紙を再スタートさせ、転写ベルト４９上に用紙を搬送させながら、感光体ドラム４１上の黒及び赤トナー像を用紙に転写させ、転写後、定着ユニット５１で付着したトナーを用紙に熱圧着させ、この定着処理を経て排紙することで、赤・黒の２色画像の印刷出力を得ることができる。
なお、本例の装置では送信機側で選択した２色と出力結果の２色の色はかならずしも一致しない。あくまで、送信機側から送った１ページ目が、受信機側にセットされている第２現像部の色で作像され送信機側から送った２ページ目が、受信機側にセットされている第１現像部の色で作像されるものである。
【００１８】
次に上記実施形態に例示した多色通信モードの実行を指示するためのモード設定に係わる実施形態について説明する。多色通信モードを設定する方法としては、装置側で送信対象のＦＡＸ原稿を読み取ったときに、その読み取り画像データの色成分を分析すれば、その原稿が、例えば赤・黒の２色原稿であるといったことが判断できるので、原稿を読み取った時点で、自動的に２色（多色）通信モードの設定を行うことも可能である。しかしながら、装置側で自動的に判断した結果が必ずしもユーザーの要求に適うとは限らず、要求に合わない結果が生じることが想定されるので、こうした不都合が起きることのなく、さらに自由な設定が可能な設定方法を採用することが必要になる。
このために、ここでは、操作部１４からＦＡＸ送信を装置に対して指示するときに、同時に多色通信モードをユーザーオペレーションにより設定することを可能にして、上記した不都合が生じないようにする。
図５（Ａ）、（Ｂ）は本実施形態の多色通信モードの設定を可能とする操作部１４の表示画面を例示する。図５（Ａ）はＦＡＸ送信時に相手先を指示するＦＡＸ番号を入力した後の待機画面を示しているが、その画面に設けた拡張送信ボタンを押すと、図５（Ｂ）の拡張送信メニューが表示され、この画面で、「０３：２色送信」を指定することにより、２色通信モードの設定を行うことをできるようにする。
さらに、ＦＡＸ原稿の読み取り画像から各ページ画像データを生成するときの指定色を上記した実施形態（図１〜４）のように、黒と赤の２色に指定するようにした形態で実施する場合には、図５（Ｃ）に示すような入力画面を用意し、読み取り色「赤と黒」のボタンを押すことにより、その設定操作を行うことができるようにする。
【００１９】
また、ここまでに記載した実施形態では、多色通信モードのＦＡＸ処理におけるより基本的な形態を示すものとして、２色通信モード、しかもＦＡＸ原稿の読み取り画像から各ページ画像データを生成するときの指定色を「赤と黒」の２色に指定するようにした形態で実施する例を示した。
しかしながら、指定色を黒と赤の２色のみでは、ユーザーの多様な要求に応えることができない。そこで、本実施形態では、ＦＡＸ原稿の読み取り画像から各ページ画像データを生成するときの指定色を予め用意された複数色の中から任意に選択し、指示するようにして、より多様な要求に応えることを可能にする。
このための手段として、読み取り色「赤と黒」の指定時における上述の操作におけると同様に、操作部の表示画面によりその指示入力を行うことができるようにする。ＦＡＸ送信時に相手先を指示するＦＡＸ番号を入力した後の待機画面を示す図５（Ａ）の画面に設けた拡張送信ボタンを押すと、図５（Ｂ）の拡張送信メニューが表示され、この画面で、「０３：２色送信」を指定することにより、図５（Ｃ）の２色通信モードの設定を可能にする２色送信画面が表示される。
本実施形態では、２色送信画面に「２色指定」の指定を可能とするボタンを用意している。ここで、用意された「２色指定」ボタンを押すと、図５（Ｄ）のような複数色から任意の色を選択できるオペレーションが可能になり、この画面でユーザーによりページ画像データの各色を指示することができるようにする。「２色指定」の場合、図５（Ｄ）の画面で第１ページ、第２ページの両方の色を指定する。
例えば、図５（Ｄ）の画面で青と緑が指定色として選択された場合には、第１色画像部１５Ｒを青とし、第２色画像部１５Ｂを緑とし、ＲＧＢ分解部１６Ａ、２色識別部１６Ｄ、２値化部１６Ｃの各部における読み取り処理にて、検出した青、緑をそれぞれ第１色画像部、第２色画像部へ格納する。
【００２０】
次に、ＦＡＸ原稿の読み取り画像から各ページ画像データを生成するときの指定色を指示する他の実施形態を示す。
上記には２色通信モードにおける指定色を特定の２色によって行うようにした形態で実施する例を示した。しかしながら、指定色を特定の２色に指定すると、指定色以外の色が排除されて原稿画像をもれなく再現できない状況になることがあり、利用条件によっては、不都合が生じる場合がある。そこで、本実施形態では、第１色を予め用意された複数色の中から任意に選択し、指定しても、第２色に先の第１指定色以外の残余色成分を全て含ませる規則を適用することにより原稿画像をもれなく再現できるようにし、多様な要求に応えるようにする。
このために、上記した読み取り色の「２色指定」におけるユーザーが指示する特定色による第２ページの生成処理に代えて、第２色への特定の色指示をすることなく、第１色以外の原稿画像部を全て第２ページとして生成する処理を行うようにする。
ここでも、「２色指定」の読み取り色指定時における上述の操作におけると同様に、操作部の表示画面によりその指示入力を行うことができるようにする。つまり、ＦＡＸ送信時の待機画面を示す図５（Ａ）の画面に設けた拡張送信ボタンを押すと、図５（Ｂ）の拡張送信メニューが表示され、この画面で、「０３：２色送信」を指定することにより、図５（Ｃ）の２色通信モードの設定を可能にする２色送信画面が表示される。本実施形態では、２色送信画面に「１色指定（他方は黒）」の操作を可能とするボタンを用意する。ここで、「１色指定（他方は黒）」のボタンを押すと、図５（Ｅ）のような画面を開くようにする。この画面での操作は、第１ページを生成する処理の指定色を指示するのみでよく、第２ページ目の操作は不要である。１色指定のオペレーションは複数色から任意の色を選択する上記と同様の方式を採るようにする。
「１色指定（他方は黒）」の操作により、例えば、図５（Ｅ）の画面で青が指定色として選択された場合には、第１色画像部１５Ｒを青とし、第２色画像部１５Ｂを青以外の原稿画像部の全てとして、ＲＧＢ分解部１６Ａ、２色識別部１６Ｄ、２値化部１６Ｃの各部における読み取り処理にて、検出した青、青以外の画像部をそれぞれ第１色画像部、第２色画像部へ格納する。本例では、「１色指定（他方は黒）」と表したように、第２色画像部１５Ｂのデータを第１現像部（黒）１７に用いるので、青以外の画像部は、黒により印刷されることになる。
【００２１】
次に、上記した２色送信モード設定（図５）及び２色通信モードの伝送手順（図２）に従って送信機が２色送信モードとして実行可能な一連の送信処理について、図６に例示する処理フロー図に基づいてさらに説明する。
図６に示すように、２色送信モードの処理が可能な本例のフローを開始すると、まず接続した宛先の受信機が送信してくるＮＳＦ（Ｓ）を受信する（Ｓ５１）。
ＮＳＦ（Ｓ）の受信後、ＮＳＦ（Ｓ）に２色通信モードの受信機能を有することが宣言されているかを調べ（Ｓ５２）、受信機側が２色通信モードの受信機能を持たない場合には、送信を中止し（Ｓ６９）、本フローを終了させる。
他方、受信機側が２色通信モードの受信機能を持つ場合には、２色通信モードの実行指示をＯＮにしたＮＳＳ（Ｓ）を受信機側に送信する（Ｓ５３）。
次いで、読み取り部１６に原稿の読み取り動作を指示するが、その前に、２色送信モードの動作条件の設定を行うために、ユーザー設定をチェックする。
このチェックは、ＦＡＸ原稿の読み取り画像から各ページ画像データを生成するときの指定色の設定を調べて、動作条件を確定するために行うものであり、先ず、第１、第２の各ページ画像を生成するための２色が指定されているかをチェックする（Ｓ５４）。ここで、２色が指定されている場合に、この指定が「赤と黒」の指定であるか否かをチェックする（Ｓ５５）。チェックの結果、「赤と黒」の指定ではない場合、さらに「１色指定（他方は黒）」の指定（即ち、第２色に第１指定色以外の残余色成分を全て含ませる）であるか否かをチェックする（Ｓ５６）。このステップＳ５６のチェック結果により、「２色指定」か「１色指定（他方は黒）」かが判定されることになり、「１色指定（他方は黒）」の場合には第１指定色以外の残余色成分を全て第２色として扱う指定をする（Ｓ５７）。
ステップＳ５４〜５７によりユーザーオペレーションにより設定された２色送信モード動作条件（指定色）を確定し、その結果に従ってＦＡＸ原稿の読み取り画像から第１、第２の各ページ画像データを生成するときに読み取り部１６（２色識別部１６Ｄ）に設定されるパラメータを決定する（Ｓ５８）。
【００２２】
次いで、第１指定色、第２指定色それぞれの設定に従い、実際にＦＡＸ原稿の読み取り処理を読み取り部１６で行い、各色毎にそれぞれのページ画像データを生成して、生成したデータを画像記憶部１５に格納する（Ｓ５９、Ｓ６０）。具体的な処理手順は、ＦＡＸ原稿画像からＲＧＢ分解部１６Ａより画素ごとのＲＧＢ成分を抽出し、得たＲＧＢ成分から２色識別部１６Ｄによって各画素が第１指定色か第２指定色かを識別する。この識別処理を原稿内の全画素に対して行い、各色毎にそれぞれのページ画像データを生成して、画像記憶部１５に格納する。つまり、原稿内の第１指定色部分を画像記憶部１５の第１色画像部１５Ｒに格納し、原稿内の第１指定色部分を第２色画像部１５Ｂに格納する。
次に、画像記憶部１５に格納した画像を２色送信モードにより受信機側に伝送する。まず、第１色画像部１５Ｒに格納した画像を２色送信モードの手順に従って第１ページ目として送信する（Ｓ６１）。
第１ページ目の送信後に、次に第２ページ目を送信する必要があるので、受信機側にＭＰＳ信号を送信する（Ｓ６２）。
この後、ＭＰＳに応答して受信機側から返ってくるＭＣＦ（ＯＫ）の受信を確認して（Ｓ６３）、第２ページ目の画情報を格納されている第２色画像部１５Ｂから取り出して送信する（Ｓ６４）。
第２ページ目の送信後に、第２ページ目が最終ページであるから、受信機側にＥＯＰ信号を送信する（Ｓ６５）。この後、ＥＯＰに応答して受信機側から返ってくるＭＣＦ（ＯＫ）の受信を確認して（Ｓ６６）、ＤＣＮを受信機側に返して（Ｓ６７）、本フローを終了させる。
なお、上記のフローで、受信機側から返ってくるＭＣＦ（ＯＫ）の受信が確認できない場合には（Ｓ６３−いいえ、Ｓ６６−いいえ）、通信エラーの処理をして（Ｓ６８）、このフローを終了させる。
【００２３】
【発明の効果】
（１）　請求項１の発明に対応する効果
受信側で作像に用いる複数の現像材の各色毎にページ画像データを生成し、生成した複数のページ画像データを一通信単位として送信する多色通信モードの処理を行うようにしたことにより、受信側で行う多色印刷出力に適したデータ形態で効率よくＦＡＸ伝送ができるようになり、システムの高パフォーマンス化を図ることが可能になる。
（２）　請求項２の発明に対応する効果
上記（１）の効果に加えて、原稿における黒、赤の各画像に対応させて各ページ画像データを生成するようにしたので、黒文字の文書への赤による添削やアンダーライン等のマーキングを行った原稿を対象にした場合へ適用すると有効であり、利便性の向上を図ることが可能になる。
【００２４】
（３）　請求項３，４の発明に対応する効果
上記（１）の効果に加えて、ＦＡＸ原稿の読み取り画像から各ページ画像データを生成するときの指定色を予め用意された複数色の中から任意に選択し、指示するようにしたので、多色通信モードに対するより多様な要求に応えることができ、利用性の向上を図ることが可能になる。また、一指定色に他の指定色以外の残余色成分を全て含ませる規則を適用するようにしたので、印刷結果において原稿画像をもれなく再現できるようになり、もれのない画像を出力させたいという要求に応えることが可能になる。
（４）　請求項５の発明に対応する効果
ユーザーの入力操作により多色通信モードの設定を行うようにしたので、ユーザーの意図しない出力結果になることが回避でき、ユーザーの要求に沿った結果を得ることが可能になる。
【００２５】
（５）　請求項６の発明に対応する効果
作像に用いる複数の現像材の各色毎のページ画像データを一通信単位として伝送されてくる各色画像をもとに多色印刷出力をする多色受信モードの処理を行うようにしたことにより、多色印刷出力に適したデータ形態で効率よく伝送、出力処理ができるようになり、システムの高パフォーマンス化を図ることが可能になる。
（６）　請求項７の発明に対応する効果
多色通信モードの動作が可能な送信側のファクシミリ装置と多色通信モードの動作で送信されてくるＦＡＸ信号を受信、多色印刷を行う受信側のファクシミリ装置とを通信手段を介して接続したシステムにおいて、上記（１）〜（５）の効果を具現化することができる。
【図面の簡単な説明】
【図１】本発明の実施形態に係わるファクシミリ装置の処理システムのハード構成を示したブロック図である。
【図２】本発明の実施形態に係わる２色通信モードのＦＡＸ伝送手順を示すチャートである。
【図３】２色通信モードの伝送手順に従う受信機側の受信・印刷処理のフロー図を示す。
【図４】本発明の実施形態に係わるファクシミリ装置のメカニカルな部分の構成を示す概略図を示す。
【図５】入力操作部における２色通信モードの設定に用いる表示画面を例示する。
【図６】２色通信モードの伝送手順に従う送信機側の読み取り・送信処理のフロー図を示す。
【符号の説明】
１１…ＣＰＵ、　　　　　　　　　　　　１４…入力操作部、
１５…画像記憶部、　　　　　　　　　１６…読み取り部、
１７…第１現像部、　　　　　　　　　１８…第２現像部、
１９…ＦＡＸ制御部、　　　　　　　　　４１…感光体ドラム、
４６…黒トナー現像部、　　　　　　　４８…赤トナー現像部。
【図１】
2004072309.tif 000004
【図２】
2004072309.tif 000005
【図３】
2004072309.tif 000006
【図４】
2004072309.tif 000007
【図５】
2004072309.tif 000008
【図６】
2004072309.tif 000009